(57)【要約】  本発明は、本体と、装飾要素であって前記装飾要素が容易に変更されることが可能なように可逆的に前記本体に取り付けられる装飾要素とを含む、宝飾品などの装飾物品を提案する。本発明によれば、前記装飾物品は、前記本体に前記装飾要素を取り付けるための可逆的取り付けシステムを含み、前記システムは、・  前記装飾要素（２００）上の、○  第１のロッキングスタッド（２１０）に対して剛性のロッド（２１１）が枢動可能に装着された、第１のロッキングスタッド（２１０）、○  取り付け位置において前記ロッド（２１１）をロックするための可逆的ロッキング手段（２２１）を備えた、第２のロッキングスタッド（２２０）、・  前記本体上の、○  前記装飾要素の第１のロッキングスタッド（２１０）を受け入れることが意図される第１のロッキングオリフィス、○  前記装飾要素の第２のロッキングスタッド（２２０）を受け入れることが意図される第２のロッキングオリフィス、を含み、前記取り付け位置において前記２つのロッキングスタッド（２１０、２２０）の間に支持表面（２３０）が配置され、前記ロッド（２１１）は、前記第２のロッキングスタッド（２２０）の可逆的取り付け手段（２２１）によって前記取り付け位置においてロックされた場合に、前記支持表面（２３０）を強く圧迫することが意図される。
2019517333.tif 000002
【特許請求の範囲】
【請求項１】
本体（１００、４００、７００）と前記本体に固定される装飾要素（２００、３００、６００）とを含む、宝飾品などの装飾物品（１）であって、前記装飾物品（１）は前記本体上に前記装飾要素を可逆的に固定するためのシステムを含み、前記システムは、
・  前記装飾要素（２００、３００、４００）上の、
第１のロッキングスタッド（２１０、３１０、６１０）であって前記第１のロッキングスタッド（２１０、３１０、６１０）に対して剛性のステム（２１１、３１１、５１１、６１１）が回転軸（６１１ａ）によって枢動可能に装着された、第１のロッキングスタッド（２１０、３１０、６１０）、
固定位置において前記ステム（２１１）を可逆的にロックするための手段（２２１）を備えた、第２のロッキングスタッド（２２０）、
・  前記本体（１００、４００、７００）上の、
前記装飾要素の前記第１のロッキングスタッド（２１０）を受け入れることが意図される第１のロッキングオリフィス（１１０）、
前記装飾要素の前記第２のロッキングスタッド（２２０）を受け入れることが意図される第２のロッキングオリフィス（１２０）、
を含み、
固定位置において２つの前記ロッキングスタッド（２１０、２２０）の間に支持表面（１４０、２３０、３３０、７４０、７４１）が配置されて、前記固定位置において前記第２のロッキングスタッド（２２０）を可逆的にロックするための手段（２２１）によって前記ステムがロックされた場合に、前記ステム（２１１）が支持表面（１４０、２３０、３３０、７４０、７４１）を強制的に圧迫する、装飾物品（１）。
【請求項２】
前記支持表面（７４０、７４１）は前記本体（７００）によって担われている、請求項１に記載の装飾物品。
【請求項３】
前記本体（７００）の前記支持表面（７４１）は、固定位置において前記ステム（６１１）が可逆的ロッキング手段（６２１）によってロックされた場合に、前記ステムが少なくとも部分的に面一となるように、前記ステム（６１１）を受け入れるための溝（７４１ａ）を有する、請求項２に記載の装飾物品。
【請求項４】
前記支持表面（１４０、２３０）は、固定位置において前記２つのロッキングスタッド（２１０、２２０）の間に配置され前記２つのロッキングスタッド（２１０、２２０）と整列される支持スタッド（１４０、２３０）によって担われており、前記第２のロッキングスタッド（２２０）を可逆的にロックするための前記手段（２２１）によって固定位置において前記ステム（２１１）がロックされた場合、前記ステム（２１１）は前記支持表面（１４０、２３０）を強制的に圧迫することが意図される、請求項１に記載の装飾物品。
【請求項５】
前記支持スタッド（２３０）は、前記装飾物品（１）の前記装飾要素（２００）と一体であり、且つ前記２つのロッキングスタッド（２１０、２２０）の間に配置され前記２つのロッキングスタッド（２１０、２２０）と整列されており、前記本体は、前記支持スタッドを受け入れることが意図される中間オリフィス（１３０）を含み、前記中間オリフィスは前記２つのロッキングオリフィス（１１０、１２０）の間に配置され前記２つのロッキングオリフィス（１１０、１２０）と整列されている、請求項４に記載の装飾物品。
【請求項６】
前記支持スタッド（１４０）は、前記装飾物品（１）の前記本体（１００）と一体であり、且つ前記２つのロッキングオリフィス（１１０、１２０）の間に配置され前記２つのロッキングオリフィス（１１０、１２０）と整列されている、請求項４に記載の装飾物品。
【請求項７】
前記支持スタッド（１４０、２３０）は、前記第２のロッキングスタッドを可逆的にロックするための前記手段内に前記ステムが係合された場合に前記支持スタッド上で前記ステムが弾性的に変形されるような高さ（Ｈ）を有する、請求項４〜請求項６のいずれか一項に記載の装飾物品。
【請求項８】
前記支持スタッド（１４０、２３０）は、前記ステムが前記支持スタッドを圧迫する場合に前記ステムを横方向で維持するための溝（２３２）を備えた、前記ステムの支持表面（２３１）を含む、請求項４〜請求項７のいずれか一項に記載の装飾物品。
【請求項９】
前記ステム（２１１）は、自由端（２１１ｂ）を備えた直線部分（２１１ａ）と、前記第１のロッキングスタッド（２１０）上で枢動する固定部分（２１１ｃ）とを有し、前記枢動する固定部分（２１１ｃ）は、
・  前記直線部分（２１１ａ）に対して角度を形成する少なくとも１つの横方向オフセットセグメント（２１１ｃ１、２１１ｃ２）、
・  前記横方向オフセットセグメント（２１１ｃ１、２１１ｃ２）の延長部分において前記直線部分（２１１ａ）と垂直に配置された回転軸のセグメント（２１１ｃ３）、
・  延長部分において回転軸の前記セグメント（２１１ｃ３）と垂直に配置されたロッキングセグメント（２１１ｃ４）、
によって構成された、請求項１〜請求項８のいずれか一項に記載の装飾物品。
【請求項１０】
前記ステム（３１１）は、それ自体の上に曲げ戻されたストランドであって、前記第２のロッキングスタッド（３２０）上への可逆的固定ループ（３１１ａ）を形成するようにそれ自体の上に曲げ戻されたストランドから構成され、前記ストランドの各自由端（３１１ｂ）は前記第１のロッキングスタッド（３１０）の部分（３１０ａ）に対して枢動可能に固定された、請求項１〜請求項８のいずれか一項に記載の装飾物品。
【請求項１１】
前記剛性のステム（５１１）は、自由端（５１１ａ）と枢動固定部分（５１１ｂ）との間に、互いに逆向きの２つのエルボー（５１１ｃ〜５１１ｄ）を含む、請求項１〜請求項１０のいずれか一項に記載の装飾物品。
【請求項１２】
請求項１〜請求項１１のいずれか一項に記載の装飾物品のための装飾要素であって、前記装飾要素は、装飾部分と、前記装飾物品に固定するための部分とを含み、固定するための部分は、
・  第１のロッキングスタッドであってそれに対して剛性のステムが枢動可能に装着された、第１のロッキングスタッド、
・  固定位置において前記ステムを可逆的にロックするための手段を備えた、第２のロッキングスタッド、を含み、
前記ロッキングスタッドは、使用中に、前記装飾物品のロッキングオリフィスと協働するよう構成される、装飾要素。
【請求項１３】
請求項６又は請求項８〜１１のいずれか一項に記載の装飾物品のための装飾要素であって、前記装飾要素は、装飾部分と、前記装飾物品に固定するための部分とを含み、固定するための部分は、
・  第１のロッキングスタッドであって剛性のステムが枢動可能に装着された、第１のロッキングスタッド、
・  固定位置において前記ステムを可逆的にロックするための手段を備えた、第２のロッキングスタッド、
・  前記２つのロッキングスタッドの間に配置されそれらと整列された、支持スタッド、
を含むことを特徴とする、装飾要素。
【請求項１４】
それぞれが異なる装飾を担った少なくとも２つの、請求項１２に記載の装飾要素を含むことを特徴とする、装飾キット。
【請求項１５】
それぞれが異なる装飾を担った少なくとも２つの、請求項１３に記載の装飾要素を含み、
ａ）  必要な場合に、前記可逆的にロックするための手段の前記ステムを前記第２のロッキングスタッドから解放すること、
ｂ）  前記ステムの自由端を前記本体の前記ロッキングオリフィスのうちの１つ内に係合させること、
ｃ）  前記装飾要素が前記本体に接するまで、前記２つのロッキングスタッドを前記本体の前記ロッキングオリフィス内に係合させること、
ｄ）  前記ステムが前記支持表面を圧迫するように、前記第２のロッキングスタッドに向けて前記ステムを枢動させること、
ｅ）  前記ステムを前記支持表面上で弾性的に変形させて、前記第２のロッキングスタッドの前記可逆的にロックするための手段内に前記ステムを係合させること、
を特徴とする、装飾キット。
【発明の詳細な説明】
【技術分野】
【０００１】
本発明は、本体と前記本体に可逆的に固定される装飾要素とを含む、宝飾品などの装飾物品に関する。
【背景技術】
【０００２】
宝飾品などの装飾物品は一般に、クリスタル、ジェムストーン、貴金属パターン（ｐｒｅｃｉｏｕｓ  ｍｅｔａｌ  ｐａｔｔｅｒｎｓ）、ウォッチなどの装飾要素（１又は複数）を支持する本体を有する。
【０００３】
前記本体は一般に、使用者上に位置付けられるように形成され、例えば指輪のためのフープ形状、又はブレスレットのためのリストレット形状を有する。
【０００４】
あるいは前記本体は、バッグなどの、使用者によって担われる別の物品上に固定されるように形成される場合がある。その場合、前記バッグ上に前記装飾要素（１又は複数）を固定することが可能である。
【０００５】
傾向は、ファッションアクセサリーを、例えば着用される衣服に、又は計画されている活動のタイプに、又は同じ装飾を繰り返さないよう頻繁に更新する必要性に適合させるために、パーソナライズできるということである。
【０００６】
最も単純な解決法は、同じ宝飾品の多数の変形を提案することである。
【０００７】
しかしこれにより、使用者にとっての大きなコストと、原材料の大きな消費とがもたらされる。
【発明の概要】
【発明が解決しようとする課題】
【０００８】
本発明の１つの目的は、本体と前記本体に可逆的に固定される装飾要素とを含む、宝飾品などの装飾物品を、同じ本体を維持しながら前記装飾要素を容易に（すなわちツールなしで）変更できるように、提案することである。
【０００９】
これにより前記本体の原材料を節約することが可能になり、それにより消費者は、その時の所望に応じて前記本体に組み付けるために、いくつかの装飾要素を入手することが可能になる。
【００１０】
本発明のもう１つの目的は、そのような装飾物品であると同時に、前記宝飾品の美観が維持されることを確実にする、すなわち固定システムによって前記宝飾品上の（又はより一般的には前記装飾物品上の）前記装飾要素の一定の、正確な、且つ速やかな位置合わせが可能になることを確実にする、装飾物品を提案することである。言い換えると使用者は、前記装飾要素を固定する際に、製造業者によって規定された位置内に前記装飾要素があるよう位置付けに気を使う必要はない。
【００１１】
可逆的固定とは、ツールなしで行われること及び解除されることが可能な固定を意味すると解釈される。反対に、永続的固定とは、行われるため又は解除されるためにツールを必要とする固定（圧着、ねじ留め、接着など）を意味すると解釈される。
【課題を解決するための手段】
【００１２】
この目的のために、本発明は、本体と前記本体に固定される装飾要素とを含む、宝飾品などの装飾物品に関し、前記装飾物品は前記本体上に前記装飾要素を可逆的に固定するためのシステムを含み、前記システムは、
・  前記装飾要素上の、
第１のロッキングスタッドに対して剛性のステムが枢動可能に装着された、第１のロッキングスタッド、
固定位置において前記ステムを可逆的にロックするための手段を備えた、第２のロッキングスタッド、
・  前記本体上の、
前記装飾要素の前記第１のロッキングスタッドを受け入れることが意図される第１のロッキングオリフィス、
前記装飾要素の前記第２のロッキングスタッドを受け入れることが意図される第２のロッキングオリフィス、を含み、
前記第２のロッキングスタッドを可逆的にロックするための手段によって固定位置において前記ステムがロックされた場合に、前記ステムが支持表面を強制的に（ｆｏｒｃｉｂｌｙ）圧迫するように、固定位置において２つのロッキングスタッドの間に前記支持表面が配置される。
【００１３】
特定の実施形態によれば、
・  前記支持表面は前記本体によって担われていてもよく、
・  前記本体の前記支持表面は、固定位置において前記ステムが可逆的ロッキング手段によってロックされた場合に、前記ステムが少なくとも部分的に面一となるように、前記ステムを受け入れるための溝を有してもよく、
・  前記支持表面は、固定位置において前記２つのロッキングスタッドの間に配置されそれらと整列される支持スタッドによって担われていてもよく、前記第２のロッキングスタッドを可逆的にロックするための前記手段によって固定位置において前記ステムがロックされた場合、前記ステムは前記支持表面を強制的に圧迫することが意図され、
・  前記支持スタッドは、前記装飾物品の前記装飾要素と一体であってもよく、且つ前記２つのロッキングスタッドの間に配置されそれらと整列されていてもよく、前記本体は、前記支持スタッドを受け入れることが意図される中間オリフィスを含み、前記中間オリフィスは２つのロッキングオリフィスの間に配置されそれらと整列されており、
・  前記支持スタッドは、前記装飾物品の前記本体と一体であってもよく、且つ前記２つのロッキングオリフィスの間に配置されそれらと整列されていてもよく、
・  前記支持スタッドは、前記第２のロッキングスタッドを可逆的にロックするための前記手段内に前記ステムが係合された場合に前記支持スタッド上で前記ステムが弾性的に変形されるような高さを有してもよく、
・  前記支持スタッドは、前記ステムが前記支持スタッドを圧迫する場合に前記ステムを横方向で維持するための溝を備えた、前記ステムの支持表面を含んでもよく、
・  前記ステムは、自由端を備えた直線部分と、前記第１のロッキングスタッド上で枢動する固定部分とを有してもよく、前記枢動する固定部分は、
前記直線部分に対して角度を形成する少なくとも１つの横方向オフセットセグメント、
前記横方向オフセットセグメントの延長部分において前記直線部分と垂直に配置された回転軸のセグメント、
延長部分において回転軸の前記セグメントと垂直に配置されたロッキングセグメント、によって構成されており、
・  前記ステムは、それ自体の上に曲げ戻されたストランドであって、前記第２のロッキングスタッド上への可逆的固定ループを形成するようにそれ自体の上に曲げ戻されたストランドから構成されていてもよく、前記ストランドの各自由端は前記第１のロッキングスタッドの部分に対して枢動可能に固定されており、且つ／又は、
・  前記剛性のステムは、自由端と枢動固定部分との間に、互いに逆向きの２つのエルボーを含んでもよい。
【００１４】
本発明はまた、前述の装飾物品のための装飾要素に関し、前記装飾要素は、装飾部分と、前記装飾物品に固定するための部分とを含み、固定するための部分は、
・  第１のロッキングスタッドに対して剛性のステムが枢動可能に装着された、第１のロッキングスタッド、
・  固定位置において前記ステムを可逆的にロックするための手段を備えた、第２のロッキングスタッド、
を含む。
【００１５】
あるいは、前記装飾要素は、装飾部分と、前記装飾物品に固定するための部分とを含んでもよく、固定するための部分は、
・  第１のロッキングスタッドに対して剛性のステムが枢動可能に装着された、第１のロッキングスタッド、
・  固定位置において前記ステムを可逆的にロックするための手段を備えた、第２のロッキングスタッド、
・  ２つのロッキングスタッドの間に配置されそれらと整列された、支持スタッド、
含む。
【００１６】
本発明はまた、それぞれが異なる装飾を担った少なくとも２つの前述の装飾要素を含む、前述の装飾物品のための装飾キットに関する。
【００１７】
本発明はまた、前述の装飾物品の装飾要素を組み付ける方法に関し、前記方法は以下の工程を含むことを特徴とする。
ａ）  必要な場合、前記可逆的にロックするための手段の前記ステムを前記第２のロッキングスタッドから解放する工程、
ｂ）  前記ステムの前記自由端を前記本体の前記ロッキングオリフィスのうちの１つ内に係合させる工程、
ｃ）  前記装飾要素が前記本体に接するまで、前記２つのロッキングスタッドを前記本体の前記ロッキングオリフィス内に係合させる工程、
ｄ）  前記ステムを、それが前記支持表面を圧迫するように、前記第２のロッキングスタッドに向けて枢動させる工程、
ｅ）  前記ステムを前記支持表面上で弾性的に変形させて、前記第２のロッキングスタッドをロックするための前記可逆的にロックするための手段内に前記ステムを係合させる工程。
【００１８】
工程ｃ）は、前記中間オリフィス内への前記支持スタッドの係合をさらに含んでもよい。
【００１９】
本発明のその他の特徴は、添付の図面を参照して行われる以下に詳述する説明において述べられる。
【図面の簡単な説明】
【００２０】
【図１】本体と前記本体に固定された装飾要素とを含む本発明による宝飾品の概略斜視図。
【図２】本発明による宝飾品のための装飾要素の第１の実施形態の開位置における概略斜視図。
【図３】本発明による宝飾品の本体の部分概略斜視図。
【図４】図２の実施形態の閉位置における概略斜視図。
【図５ａ】本発明による宝飾品の第１の実施形態の装着方法の概略断面図。
【図５ｂ】本発明による宝飾品の第１の実施形態の装着方法の概略断面図。
【図５ｃ】本発明による宝飾品の第１の実施形態の装着方法の概略断面図。
【図６】本発明による宝飾品の組み付け後の概略斜視図。
【図７】本発明による宝飾品のための装飾要素の支持スタッドの有利な実施形態の概略断面図。
【図８】本発明による宝飾品のための装飾要素の第２の固定スタッドをロックするための手段の実施形態の概略断面図。
【図９】本発明による宝飾品のための装飾要素の第２の固定スタッドをロックするための手段の実施形態の概略断面図。
【図１０ａ】本発明による宝飾品のための装飾要素の固定ステムの実施形態の概略平面図。
【図１０ｂ】本発明による宝飾品のための装飾要素の固定ステムの実施形態の概略平面図。
【図１１ａ】本発明による宝飾品の第２の実施形態の装着方法の概略断面図。
【図１１ｂ】本発明による宝飾品の第２の実施形態の装着方法の概略断面図。
【図１１ｃ】本発明による宝飾品の第２の実施形態の装着方法の概略断面図。
【図１２】図１０ｂによるステムを用いた図１１ｃの装着方法の端の変形の概略断面図。
【図１３】本発明による宝飾品のための装飾要素の第３の実施形態の開位置における概略斜視図。
【図１４】図１３の装飾要素と相補的な本発明による宝飾品の本体の部分概略斜視図。
【図１５】本発明による宝飾品のための装飾要素の第３の実施形態の変形の概略斜視図。
【図１６】本発明による宝飾品のための装飾要素の第３の実施形態の変形の概略斜視図。
【図１７】本発明による宝飾品のための装飾要素の第３の実施形態の変形の概略斜視図。
【図１８】本発明による宝飾品のための装飾要素の第３の実施形態の変形の概略斜視図。
【図１９】本発明による宝飾品の第４の実施形態の第１の変形の装着方法の概略断面図。
【図２０】本発明による宝飾品の第４の実施形態の第１の変形の装着方法の概略断面図。
【図２１】本発明による宝飾品の第４の実施形態の第１の変形の装着方法の概略断面図。
【図２２】本発明による宝飾品の第４の実施形態の第２の変形の装着方法の概略断面図。
【図２３】本発明による宝飾品の第４の実施形態の第２の変形の装着方法の概略断面図。
【発明を実施するための形態】
【００２１】
本発明は、図１に示す宝飾品などの装飾物品１を提案することを目的とする。
【００２２】
この物品１は、本体１００と、可逆的固定システムによって可逆的に前記本体に固定される装飾要素２００とを含み、前記可逆的固定システムの第１の実施形態が図２及び図３に示されている。
【００２３】
図２は、本体１００上、特に本体１００の固定ゾーン１０１上に装飾要素２００を固定するための部分２０１を示す。前記装飾要素の装飾部分２０２は、この図には示されていないが、図１に示されている。
【００２４】
図３は、本体１００の固定ゾーン１０１であってそこにおいて装飾要素２００が固定される、固定ゾーン１０１を示す。
【００２５】
装飾要素２００上に存在する前記固定システムの部分は、
第１のロッキングスタッド２１０であってそれに対して剛性のステム２１１が枢動可能に装着された、第１のロッキングスタッド２１０、及び
固定位置において前記ステムを可逆的にロックするための手段２２１であって、例えばステム２１１がその中に摺動される固定スロットなどの手段２２１を備えた、第２のロッキングスタッド２２０、を含む。
【００２６】
本体１００上に存在する前記固定システムの部分は、
装飾要素２００の第１のロッキングスタッド２１０を受け入れることが意図される第１のロッキングオリフィス１１０、
装飾要素２００の第２のロッキングスタッド２２０を受け入れることが意図される第２のロッキングオリフィス１２０、
を含む。
【００２７】
一般的に、本発明によれば、前記固定システムはまた、固定位置において（すなわち、前記装飾要素のスタッド２１０、２２０が前記本体のオリフィス１１０、２１０内に係合された場合、且つステム２１１がロッキング手段２２１と接触している場合に）２つのロッキングスタッドの間に配置されそれらと整列された支持スタッドを含む。
【００２８】
図３〜図５ｃに示す実施形態では、支持スタッド２３０は装飾要素２００と一体である。これは２つのロッキングスタッド２１０、２２０の間に配置されそれらと整列されている。
【００２９】
相補的に、本体１００は、支持スタッド２３０を受け入れることが意図される中間オリフィス１３０を含み、中間オリフィス１３０は２つの端オリフィス１１０、１２０の間に配置されそれらと整列されている。
【００３０】
第２のロッキングスタッド２２０を可逆的にロックするための手段２２１によって固定位置において前記ステムがロックされた場合、固定位置において前記ステムは支持スタッド２３０を強制的に圧迫することが意図される。
【００３１】
これは図４に示されており、図を過剰に複雑にしないように、この図では本体１００は示されていない。
【００３２】
この組み付けは図６にも示されており、この図では前記本体も部分的に描写されている。
【００３３】
図５ａ〜図５ｃは、装飾要素２００を装飾物品の本体１００上に組み付ける方法を示す。
【００３４】
図５ａにおいて、使用者は、ステム２１１の自由端２１１ａを前記本体のロッキングオリフィス１１０のうちの１つ内に係合させる。必要ならば使用者は、第２のロッキングスタッド２２０のロッキング手段２２１からステム２１１を事前に解放している。
【００３５】
次に使用者は、装飾要素２００を矢印Ｆ１の方向において本体１００に近付け、前記装飾要素が前記本体に接するまで、２つのロッキングスタッド２１０、２２０を本体１００のロッキングオリフィス１１０、１２０内に係合させる（図５ｂ）。図示されている実施形態では、この工程は、中間オリフィス１３０内への支持スタッド２３０の係合をさらに含む。
【００３６】
ロッキングスタッド２１０、２２０はしたがって、前記装飾物品の前記本体上への前記装飾要素の、使用中の非常に正確な位置付けを可能にすると同時に、前記装飾要素の容易な変更を可能にするために、前記装飾物品の本体１００の前記ロッキングオリフィスと協働するのに適している。
【００３７】
前記装飾要素の前記固定位置はしたがって、前記スタッドと前記ロッキングオリフィスとの協働によって決定されるため、正確である。
【００３８】
したがって例えば、指輪又はブレスレットなどの支持体上にジェムストーンのブローチを可逆的に、正確に、且つ堅固に固定することが可能である。また、バッグに固定された支持体上にウォッチを可逆的に、正確に、且つ確実に固定することが可能である。
【００３９】
使用者は次に、ステム２１１を、それが支持スタッド２３０を圧迫するように、矢印Ｆ２の方向において第２のロッキングスタッド２２０に向けて枢動させる。
【００４０】
次に使用者は、ステム２１１を支持スタッド２３０上で弾性的に変形させて、第２のロッキングスタッド２２０をロックするための手段２２１内に前記ステムを係合させる。例えば使用者は、ロッキングスタッド２２０によって担われているロッキングスロット内にステム２１１を摺動させる。したがって「剛性のステム」は、本発明によれば、前記ステムが使用者によってツールを使用せずに弾性的に変形され得ると同時に、前記ステムは変形されロッキング手段２２１と接触した場合に応力を提供する、ということを意味すると解釈されることが理解される。
【００４１】
有利には、前記ロッキングオリフィスは、前記ロッキングスタッドの形状と相補的な形状、及びわずかに大きな寸法を、前記スタッドと前記オリフィスとの間の横方向の遊びを制限するために有する。
【００４２】
代替として又は組み合わせて、中間オリフィス１３０は、それが存在する場合、前記支持スタッドの形状と相補的な形状、及びわずかに大きな寸法を、前記支持スタッドと前記中間オリフィスとの間の横方向の遊びを制限するために有する。
【００４３】
これにより、前記装飾物品の前記本体上への前記装飾要素の、所定の位置への非常に正確な可逆的固定が可能になると同時に、前記装飾要素の容易な変更が可能になる。
【００４４】
前記装飾要素の前記固定位置はしたがって、前記スタッドと前記ロッキングオリフィスとの協働によってそれが決定されるため、正確である。
【００４５】
言い換えると使用者は、前記装飾物品の前記本体上に前記装飾要素を固定する際に、製造業者によって規定された位置内に前記装飾要素があるよう位置合わせに気を使う必要はない。
【００４６】
好ましくは、前記スタッド及び前記オリフィスは、柱状の多面体形状（例えば三角形、正方形、長方形、六角形など）及び非円形を有する。このようにして、前記装飾要素は並進方向で、しかしまた回転方向でもロックされる。前記ステムの強制的な（ｆｏｒｃｉｂｌｅ）固定により、前記装飾要素は前記本体上に最終的にロックされる。
【００４７】
本発明によれば、前記支持スタッドは、第２のロッキングスタッド２２０を可逆的にロックするための手段２２１内にステム２１１が係合された場合に支持スタッド２３０上でステム２１１が弾性的に変形されるように、高さＨを有する。
【００４８】
このようにして、ステム２１１は角度αの湾曲部を有する。この湾曲によりロッキングスタッド２２０上に応力が作用され、ロッキング手段２２１からステム２１１が係合解除されることが防止される。
【００４９】
この実施形態では、ステム２１１は有利には、それがロッキング手段２２１内に強制的に係合された場合にその自由端２１１ｂが本体１００を圧迫する（図５ｃを参照）ように、十分な長さを有する。この接触により装飾要素２００と本体１００との相対移動が制限され、それにより前記アセンブリはより質が高いものとなる。
【００５０】
この強制的レイアウト（ｆｏｒｃｉｂｌｅ  ｌａｙｏｕｔ）により、第１のロッキングスタッド２１０上に前記ステムを固定するレベルにおいてばねタイプの復帰手段を備える必要なしに、前記装飾要素を前記本体上にロックすることが可能になる。
【００５１】
その上、前記ステムが第１のロッキングスタッド２１０のレベルにおいてばね上で枢動可能に装着された場合に比べて、力は、前記ロッキング手段のより近くに移動される。したがって応力はより大きく、ロッキング手段２２１から前記ステムが係合解除される危険は減少する。
【００５２】
有利には、図７に示すように、支持スタッド２３０は、ステム２１１が支持スタッド２３０を圧迫する場合にステム２１１を横方向で維持するための溝２３２を備えた、ステム２１１の支持表面２３１を含む。
【００５３】
図８は、第２のロッキングスタッド２２０ａをロックするための手段の第１の変形２２１ａを示す。
【００５４】
ロッキング手段２２１ａは、直接並んだ横方向リム（ｌａｔｅｒａｌ  ｒｉｍ  ｄｉｒｅｃｔｌｙ  ｉｎ  ｌｉｎｅ）によって構成され、ステム２１１は前記横方向リムの下に摺動されて、支持スタッド２３０によってステム２１１上に作用される応力によって維持される。
【００５５】
図９は、第２のロッキングスタッド２２０ｂをロックするための手段の第２の変形２２１ｂを示す。
【００５６】
ロッキング手段２２１ｂは、横方向ノッチによって構成され、ステム２１１は前記横方向ノッチの中に摺動されて、支持スタッド２３０によってステム２１１上に作用される応力によって維持される。
【００５７】
図１０ａは、ステム２１１の有利な実施形態を示す。
【００５８】
ステム２１１は、
・  自由端２１１ｂを備えた直線部分２１１ａ、及び
・  第１のロッキングスタッド２１０上で枢動する固定部分２１１ｃ、
を有する。
【００５９】
固定部分２１１ｃは有利には、以下を得るためにステム２１１の他方の端を折り曲げることによって製造される。
前記直線部分に対して角度を形成する少なくとも１つの横方向オフセットセグメント、図示されている実施形態は２つの横方向オフセットセグメント２１１ｃ１及び２１１ｃ２を含む、
横方向オフセットセグメント２１１ｃ１、２１１ｃ２の延長部分において直線部分２１１ａと垂直に配置された回転軸のセグメント２１１ｃ３、
延長部分において回転軸のセグメント２１１ｃ３と垂直に配置されたロッキングセグメント２１１ｃ４。
【００６０】
前記ステムのこの実施形態は、安価であること及び非常に実際的であることの両方の理由により、特に有利である。
【００６１】
前記ステムをロッキングセグメント２１１ｃ４のスタッド２１０の横断的枢動穴２１０ａ内に通し、次に前記ステムを枢動させて、回転軸のセグメント２１１ｃ３を横断的枢動穴２１０ａ内に係合させれば十分である。
【００６２】
この位置において、ロッキングセグメント２１１ｃ４及び横方向セグメント２１１ｃ２は、ステム２１１がスタッド２１０から外れるのを防止する。
【００６３】
ロッキングの間に前記ステムの前記応力を生成するのは前記支持スタッドであるため、前記ステム自体が１又は複数のばねループなどの弾性復帰構造を含む必要はない。
【００６４】
本発明による装飾物品の全ての実施形態と共存できる図１０ｂに示す好ましい実施形態によれば、横方向オフセットセグメント２１１ｃ２は、ステム２１１の残りの部分と同一平面上ではないフォールド２１１ｃ５であって、ステム２１１がロッキング手段２１１内に強制的に係合された場合に本体１００を圧迫する際に応力がかけられるように形作られた、フォールド２１１ｃ５を有する。この接触により装飾要素２００と本体１００との間のピン止め力が増加し、それにより前記アセンブリはより質が高いものとなる（図１２を参照）。
【００６５】
あるいは、ロッキングセグメント２１１ｃ４が、前記ステムの残りの部分と同一平面上ではなくてもよく、且つステム２１１がロッキング手段２２１内に強制的に係合された場合に本発明による前記装飾物品の前記本体に対する強制的接触の点を有するのに十分なほど長くてもよい。
【００６６】
第２の実施形態が図１１ａ〜図１１ｃに示されている。
【００６７】
この実施形態では、支持スタッド１４０は、装飾物品１の本体１００と一体であり、装飾要素２００と一体ではない。
【００６８】
支持スタッド１４０はこの場合、本体１００上で２つのロッキングオリフィス１１０及び１２０の間に配置されそれらと整列されている。
【００６９】
第２のロッキングスタッド２００をロックするための手段２２１によってステム２１１の応力ロッキングを得るための高さ、ノッチ２３２などの、前述の第１の実施形態の支持スタッド２３０のその他の特徴は、第２の実施形態の支持スタッド１４０についても有効である。
【００７０】
前記支持スタッドが前記本体上にあり前記装飾要素上にはないこの実施形態は、本体１００に対する装飾要素２００のより良好なピン止めという利点を有する。
【００７１】
相補的に、ステム２１１は有利には、それがロッキング手段２２１内に強制的に係合された場合にその自由端２１１ｂが本体１００を圧迫する（図１１ｃを参照）ように、十分な長さを有してもよい。この接触により装飾要素２００と本体１００との間のピン止め力が増加し、それにより前記アセンブリはより質が高いものとなる。
【００７２】
相補的に、図１２に示すように、ステム２１１は有利には、枢動部分２１１ｃであって、ステム２１１がロッキング手段２２１内に強制的に係合された場合にこの枢動部分が本発明による前記装飾物品の前記本体に対する強制的接触点を有するように特定の構造を備えた、枢動部分２１１ｃを有してもよい。この特定の構造は有利には、図１０ｂのステム２１１のフォールド２１１ｃ５であってもよい。
【００７３】
ステム２１１のこの実施形態は、図５ａ〜図５ｃに示す本発明の実施形態についても有効である。
【００７４】
本発明はまた、それぞれが異なる装飾を担った少なくとも２つの装飾要素２００を含む、本発明による装飾物品のための装飾キットに関する。使用者はこの場合、前記使用者の装飾物品（例えば宝飾品）全体を変更する必要なしに、すなわち前記装飾物品の本体を再購入する必要なしに、前記装飾要素のみを変更して異なる装飾を有するために、前記使用者の装飾物品用にこのキットを購入することを選択してもよい。
【００７５】
有利には、前記本体、前記装飾要素、前記ステム、及び前記スタッドは金属である。
【００７６】
図１３及び図１４は、本発明の範囲を超えることなく想定され得る様々な要素の様々な変形を示す、本発明の別の例示的実施形態を示す。
【００７７】
図１３は、本体４００（図１４を参照）上、特に本体４００の固定ゾーン４０１上に装飾要素３００を固定するための部分３０１を示す。前記装飾要素の装飾部分３は、この図には示されていない。
【００７８】
図１４は、本体４００の固定ゾーン４０１であってそこにおいて装飾要素３００が固定されなければならない、固定ゾーン４０１を示す。
【００７９】
装飾要素３００上に存在する固定システムの部分は、
第１のロッキングスタッド３１０であってそれに対して剛性のステム３１１が枢動可能に装着された、第１のロッキングスタッド３１０、及び
例えば固定ボールであってその下にステム３１１が摺動される固定ボールなどの、前記ステムを固定位置において可逆的にロックするための手段３２１を備えた、第２のロッキングスタッド３２０、を含む。
【００８０】
この実施形態では、剛性のステム３１１は、それ自体の上に曲げ戻されたストランドであって、第２のロッキングスタッド３２０上に可逆的に固定するためのループ３１１ａを形成するようにそれ自体の上に曲げ戻されたストランドから構成されている（ループ３１１ａはボール３２１の下に強制的に且つ可逆的に挿入される）。
【００８１】
第１のロッキングスタッド３１０は２つの別個の部分３１０ａから構成され、それらのそれぞれに対して前記ストランドの自由端３１１ｂが枢動可能に固定されている。
【００８２】
本体４００上に存在する前記固定システムの部分は、
装飾要素４００の第１のロッキングスタッド３１０を受け入れることが意図される第１のロッキングオリフィス４１０、
装飾要素３００の第２のロッキングスタッド３２０を受け入れることが意図される第２のロッキングオリフィス４２０、
を含む。
【００８３】
この例示的実施形態では、ロッキングオリフィス４１０、４２０は、ロッキングスタッド３１０、３２０の形状と相補的な形状を有さない。それらは前記物品の前記本体上への前記装飾要素のロックを目的として、ステム３１１及びロッキングスタッド３１０、３２０の通過を単に可能にするのみである。
【００８４】
前記装飾要素の正確な固定位置を保証するために、装飾要素３００と一体の支持スタッド３３０が、柱状の多面体形状（例えば三角形、正方形、長方形、六角形など）及びしたがって非円形を有する。相補的に、本体４００は、相補的形状（したがって非円形）で、且つ支持スタッド３３０と中間オリフィス４３０との間の横方向の遊びを制限するためわずかに大きな寸法の中間オリフィス４３０を、に有する。
【００８５】
これにより、前記装飾物品の前記本体上への前記装飾要素の、所定の位置への非常に正確な可逆的固定が可能になると同時に、前記装飾要素の容易な変更が可能になる。
【００８６】
前記装飾要素の前記固定位置はしたがって、前記支持スタッドと前記中間オリフィスとの協働によってそれが決定されるため、正確である。
【００８７】
言い換えると使用者は、前記装飾物品の前記本体上に前記装飾要素を固定する際に、製造業者によって規定された位置内に前記装飾要素があるよう位置合わせに気を使う必要はない。
【００８８】
図１５〜図１８は、本発明による宝飾品のための装飾要素の第３の実施形態の変形であって、第１の実施形態及び第２の実施形態にも適合可能な変形を示す。
【００８９】
この変形は、剛性のステム５１１が、自由端５１１ａと枢動固定部分５１１ｂとの間に、互いに逆向きの２つのエルボー５１１ｃ、５１１ｄを含んでもよく、それにより前記自由端の固定が促進されると同時に、２つのエルボーの間に位置する前記ステムの部分５１１ｅの、支持スタッド３３０への強制的な圧迫が確実になる、という事実を示す。
【００９０】
これらの２つのエルボーにより、前記ステムは、第２のロッキングスタッド３２１に可逆的に固定されて支持スタッド３３０を圧迫する場合に、弾性的に変形されるのにちょうど十分なだけ応力をかけられる。したがって前記ステムは、ロッキングスタッド３２１から固定解除された場合、残留変形なしにその初期形状を回復し、これにより前記ステムの完全性及び固定の効率が長期にわたって確実になる。
【００９１】
本体４００上の装飾要素３００の相対位置は、支持スタッド３３０の多角形形状（三角形、正方形、五角形など）及び中間オリフィス４３０内へのその正確な整合によって確実になる。
【００９２】
したがって一般的に、本発明によれば、前記装飾要素は、いわゆる装飾「外」面と、前記本体に対して固定するためのいわゆる「内」面とを含み、前記本体は、いわゆる「外」面であって前記装飾要素がそれを圧迫するようになる「外」面と、いわゆる「内」面であってその側を前記ステムが強制的に圧迫する「内」面とを含む。
【００９３】
前述の３つの実施形態では、前記ステムは、前記本体と一体の支持スタッドによって担われている支持表面を、又は前記装飾要素と一体の支持スタッドを強制的に圧迫する。
【００９４】
図１９〜図２３に示す第４の実施形態によれば、装飾要素６００によって担われているステムは、支持スタッドによって担われているのではなく本体７００によって（内面上で）直接担われている支持表面７４０、７４１を強制的に圧迫する。
【００９５】
そのために、第２のロッキングスタッド６２０を可逆的にロックするための手段６２１によって固定位置においてステム６１１がロックされた場合にステム６１１が弾性的に変形すると同時に支持表面７４０、７４１を強制的に圧迫するように、ステム６１１を回転するように受け入れることが意図されるスタッド６１０の横断的枢動穴６１０ａと、第２のロッキングスタッド６２０をロックするための手段６２１とは、固定位置において、前記本体の前記支持表面から距離Ｈのところに位置する。
【００９６】
この第４の実施形態では、前記ロッキングスタッドは有利には、それらが固定位置において前記本体を超えて延在しないように、前記本体の厚さ以下の高さを有してもよく、ステム６１１は、図１９〜図２１において示されている第１の変形では、２つのロッキングオリフィス７１０、７２０のエッジ７４０ａ、７４０ｂによって構成された支持表面７４０に対抗して弾性的に変形する。したがって前記支持表面は、ここでは２つの別個の部分内にある。
【００９７】
この第４の実施形態は、前記本体の内面が使用者の皮膚と接触することが意図される場合、特に有利である。ステム６１１のみが、本体７００の前記内面を基準にして突出する。
【００９８】
図２２及び図２３に示す第２の変形では、本体７００の支持表面７４１は、固定位置においてステム６１１が可逆的ロッキング手段６２１によってロックされた場合にステム６１１を受け入れるための溝７４１ａを有する。このようにして、前記ステムは少なくとも部分的に面一となり、すなわち少なくとも部分的に、前記本体の前記内面を超えて延在しなくなる。
【００９９】
固定を促進すると同時に前記ステムが溝７４１ａを超えて延在しないことを確実にするために、溝７４１ａは各端において、すなわちロッキングオリフィス７１０、７２０のエッジにおいて、ベベルエッジ７４１ｂ及び７４１ｃを含んでもよい。
【０１００】
前記ステムが支持表面７４１に強制的に押し付けられる場合に、前記ステムが面一であるように、且つ前記ステムが湾曲しすぎることを前記ベベルエッジが防止するように、溝７４１ａは前記ステムの中央部分を受け入れることが意図される。
【０１０１】
ベベルエッジの存在は、図１９〜図２１に示す変形においても提供されてもよい。
【０１０２】
ステム６１１の自由端は有利には、支持表面７４０、７４１の下に（例えば高さＨ１のところに）配置された固定スタッド６２０の固定手段６２１と協働することが意図される前記ステムの固定部分６１１ａと、ステム６１１を固定／固定解除するために使用者によってつかまれることが意図される把持部分６１１ｂとの境界を画するフォールドを有する。
【０１０３】
この第４の実施形態はまた、有利には、並進方向及び回転方向でロックするための、前記装飾要素によって担われた中間スタッド６３０であって、前記本体によって担われた（貫通オリフィス又はそうではない）中間オリフィス７３０内に挿入されることが意図される中間スタッド６３０の使用を定める。このスタッドは、前述の３つの実施形態とは異なり、前記ステムのいかなるロッキング機能も確実にしない。
【０１０４】
このスタッドはこの実施形態において特に有用であり、なぜなら、前記ステムを損傷する危険を冒すことなく前記ステムが枢動し前記本体によって担われている支持表面７４０、７４１を押し付けるための余地を残すために、オリフィス６１０及び６２０は一般に、ロッキングスタッドの寸法より大きな寸法を有さなければならないからである。これらのロッキングオリフィスはしたがって、前記装飾要素の正確な位置付けを確実にすることはできない。
【０１０５】
この機能を確実にするために、中間オリフィス７３０は、前記中間スタッドの形状と相補的な且つわずかに大きな寸法の、柱状の多面体形状（例えば三角形、正方形、長方形、六角形など）及び非円形を、前記中間スタッドと前記オリフィスとの間の横方向の遊びを制限するために有する。このようにして、前記装飾要素は並進方向で、しかしまた回転方向でも、本体７００に対してロックされる。前記ステムの強制的な固定により、前記装飾要素は前記本体上に最終的にロックされる。
【０１０６】
これにより、前記装飾物品の前記本体上への前記装飾要素の、所定の位置への非常に正確な可逆的固定が可能になると同時に、前記装飾要素の容易な変更が可能になる。
【０１０７】
前記装飾要素の前記固定位置はしたがって、前記中間スタッドと前記中間オリフィスとの協働によってそれが決定されるため、正確である。言い換えると使用者は、前記装飾物品の前記本体上に前記装飾要素を固定する際に、製造業者によって規定された位置内に前記装飾要素があるよう位置合わせに気を使う必要はない。
【図１】
2019517333.tif 000003
【図２】
2019517333.tif 000004
【図３】
2019517333.tif 000005
【図４】
2019517333.tif 000006
【図５ａ】
2019517333.tif 000007
【図５ｂ】
2019517333.tif 000008
【図５ｃ】
2019517333.tif 000009
【図６】
2019517333.tif 000010
【図７】
2019517333.tif 000011
【図８】
2019517333.tif 000012
【図９】
2019517333.tif 000013
【図１０ａ】
2019517333.tif 000014
【図１０ｂ】
2019517333.tif 000015
【図１１ａ】
2019517333.tif 000016
【図１１ｂ】
2019517333.tif 000017
【図１１ｃ】
2019517333.tif 000018
【図１２】
2019517333.tif 000019
【図１３】
2019517333.tif 000020
【図１４】
2019517333.tif 000021
【図１５−１６】
2019517333.tif 000022
【図１７】
2019517333.tif 000023
【図１８】
2019517333.tif 000024
【図１９】
2019517333.tif 000025
【図２０】
2019517333.tif 000026
【図２１】
2019517333.tif 000027
【図２２】
2019517333.tif 000028
【図２３】
2019517333.tif 000029
【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
本体（１００、４００、７００）と前記本体に固定される装飾要素（２００、３００、６００）とを含む、宝飾品などの装飾物品（１）であって、前記装飾物品（１）は前記本体上に前記装飾要素を可逆的に固定するためのシステムを含み、前記システムは、
・  前記装飾要素（２００、３００、４００）上の、
第１のロッキングスタッド（２１０、３１０、６１０）であって前記第１のロッキングスタッド（２１０、３１０、６１０）に対して剛性のステム（２１１、３１１、５１１、６１１）が回転軸（６１１ａ）によって枢動可能に装着された、第１のロッキングスタッド（２１０、３１０、６１０）、
固定位置において前記ステム（２１１）を可逆的にロックするための手段（２２１）を備えた、第２のロッキングスタッド（２２０）、
・  前記本体（１００、４００、７００）上の、
前記装飾要素の前記第１のロッキングスタッド（２１０）を受け入れることが意図される第１のロッキングオリフィス（１１０）、
前記装飾要素の前記第２のロッキングスタッド（２２０）を受け入れることが意図される第２のロッキングオリフィス（１２０）、
を含み、
固定位置において２つの前記ロッキングスタッド（２１０、２２０）の間に支持表面（１４０、２３０、３３０、７４０、７４１）が配置されて、前記固定位置において前記第２のロッキングスタッド（２２０）を可逆的にロックするための手段（２２１）によって前記ステムがロックされた場合に、前記ステム（２１１）が支持表面（１４０、２３０、３３０、７４０、７４１）を強制的に圧迫する、装飾物品（１）。
【請求項２】
前記支持表面（７４０、７４１）は前記本体（７００）によって担われている、請求項１に記載の装飾物品。
【請求項３】
前記本体（７００）の前記支持表面（７４１）は、固定位置において前記ステム（６１１）が可逆的ロッキング手段（６２１）によってロックされた場合に、前記ステムが少なくとも部分的に面一となるように、前記ステム（６１１）を受け入れるための溝（７４１ａ）を有する、請求項２に記載の装飾物品。
【請求項４】
前記支持表面（１４０、２３０）は、固定位置において前記２つのロッキングスタッド（２１０、２２０）の間に配置され前記２つのロッキングスタッド（２１０、２２０）と整列される支持スタッド（１４０、２３０）によって担われており、前記第２のロッキングスタッド（２２０）を可逆的にロックするための前記手段（２２１）によって固定位置において前記ステム（２１１）がロックされた場合、前記ステム（２１１）は前記支持表面（１４０、２３０）を強制的に圧迫することが意図される、請求項１に記載の装飾物品。
【請求項５】
前記支持スタッド（２３０）は、前記装飾物品（１）の前記装飾要素（２００）と一体であり、且つ前記２つのロッキングスタッド（２１０、２２０）の間に配置され前記２つのロッキングスタッド（２１０、２２０）と整列されており、前記本体は、前記支持スタッドを受け入れることが意図される中間オリフィス（１３０）を含み、前記中間オリフィスは前記２つのロッキングオリフィス（１１０、１２０）の間に配置され前記２つのロッキングオリフィス（１１０、１２０）と整列されている、請求項４に記載の装飾物品。
【請求項６】
前記支持スタッド（１４０）は、前記装飾物品（１）の前記本体（１００）と一体であり、且つ前記２つのロッキングオリフィス（１１０、１２０）の間に配置され前記２つのロッキングオリフィス（１１０、１２０）と整列されている、請求項４に記載の装飾物品。
【請求項７】
前記支持スタッド（１４０、２３０）は、前記第２のロッキングスタッドを可逆的にロックするための前記手段内に前記ステムが係合された場合に前記支持スタッド上で前記ステムが弾性的に変形されるような高さ（Ｈ）を有する、請求項４〜請求項６のいずれか一項に記載の装飾物品。
【請求項８】
前記支持スタッド（１４０、２３０）は、前記ステムが前記支持スタッドを圧迫する場合に前記ステムを横方向で維持するための溝（２３２）を備えた、前記ステムの支持表面（２３１）を含む、請求項４〜請求項７のいずれか一項に記載の装飾物品。
【請求項９】
前記ステム（２１１）は、自由端（２１１ｂ）を備えた直線部分（２１１ａ）と、前記第１のロッキングスタッド（２１０）上で枢動する固定部分（２１１ｃ）とを有し、前記枢動する固定部分（２１１ｃ）は、
・  前記直線部分（２１１ａ）に対して角度を形成する少なくとも１つの横方向オフセットセグメント（２１１ｃ１、２１１ｃ２）、
・  前記横方向オフセットセグメント（２１１ｃ１、２１１ｃ２）の延長部分において前記直線部分（２１１ａ）と垂直に配置された回転軸のセグメント（２１１ｃ３）、
・  延長部分において回転軸の前記セグメント（２１１ｃ３）と垂直に配置されたロッキングセグメント（２１１ｃ４）、
によって構成された、請求項１〜請求項８のいずれか一項に記載の装飾物品。
【請求項１０】
前記ステム（３１１）は、それ自体の上に曲げ戻されたストランドであって、前記第２のロッキングスタッド（３２０）上への可逆的固定ループ（３１１ａ）を形成するようにそれ自体の上に曲げ戻されたストランドから構成され、前記ストランドの各自由端（３１１ｂ）は前記第１のロッキングスタッド（３１０）の部分（３１０ａ）に対して枢動可能に固定された、請求項１〜請求項８のいずれか一項に記載の装飾物品。
【請求項１１】
前記剛性のステム（５１１）は、自由端（５１１ａ）と枢動固定部分（５１１ｂ）との間に、互いに逆向きの２つのエルボー（５１１ｃ〜５１１ｄ）を含む、請求項１〜請求項１０のいずれか一項に記載の装飾物品。
【請求項１２】
請求項１〜請求項１１のいずれか一項に記載の装飾物品のための装飾要素であって、前記装飾要素は、装飾部分と、前記装飾物品に固定するための部分とを含み、固定するための部分は、
・  第１のロッキングスタッドであってそれに対して剛性のステムが枢動可能に装着された、第１のロッキングスタッド、
・  固定位置において前記ステムを可逆的にロックするための手段を備えた、第２のロッキングスタッド、を含み、
前記ロッキングスタッドは、使用中に、前記装飾物品のロッキングオリフィスと協働するよう構成される、装飾要素。
【請求項１３】
請求項６又は請求項８〜１１のいずれか一項に記載の装飾物品のための装飾要素であって、前記装飾要素は、装飾部分と、前記装飾物品に固定するための部分とを含み、固定するための部分は、
・  第１のロッキングスタッドであって剛性のステムが枢動可能に装着された、第１のロッキングスタッド、
・  固定位置において前記ステムを可逆的にロックするための手段を備えた、第２のロッキングスタッド、
・  前記２つのロッキングスタッドの間に配置されそれらと整列された、支持スタッド、
を含むことを特徴とする、装飾要素。
【請求項１４】
それぞれが異なる装飾を担った少なくとも２つの、請求項１２に記載の装飾要素を含むことを特徴とする、装飾キット。
【請求項１５】
それぞれが異なる装飾を担った少なくとも２つの、請求項１３に記載の装飾要素を含むことを特徴とする、装飾キット。
【請求項１６】
請求項１に記載の装飾物品の装飾要素を組み立てる方法であって、以下のステップ、
ａ）  必要な場合に、前記可逆的にロックするための手段の前記ステムを前記第２のロッキングスタッドから解放すること、
ｂ）  前記ステムの自由端を前記本体の前記ロッキングオリフィスのうちの１つ内に係合させること、
ｃ）  前記装飾要素が前記本体に接するまで、前記２つのロッキングスタッドを前記本体の前記ロッキングオリフィス内に係合させること、
ｄ）  前記ステムが前記支持表面を圧迫するように、前記第２のロッキングスタッドに向けて前記ステムを枢動させること、
ｅ）  前記ステムを前記支持表面上で弾性的に変形させて、前記第２のロッキングスタッドの前記可逆的にロックするための手段内に前記ステムを係合させること、
を含むことを特徴とする、方法。
【国際調査報告】
2019517333.tif 000030
2019517333.tif 000031
2019517333.tif 000032
2019517333.tif 000033